(57)【要約】      （修正有）【課題】意図的な情報の改竄を防ぐための遊戯用コネクタ付電気ケーブルを提供すること目的とする。【解決手段】電気ケーブルの内部には信号や電源を通すための導体線が円周状に設けられ、この外周には導体でできた内シールド層この外側に絶縁物でできた保護絶縁層、更にこの外側に導体でできた外シールド層を設けさらにこの外側に外シースを設ける。ケーブル側コネクタ（７）は取り付け基板に取り付けられている機器側コネクタ（１３）に両端で機械的・電気的に接続されており、先の内シールド層及び外シールド層の両端はケーブル側コネクタ（７）を介して機器側コネクタ（１３）と各２本接続されており、更に一端の２本には固定抵抗器（１４）他の端の２本には計数カウンター（１６）とつながった抵抗検知回路（１５）と接続されている。また抜け止め（１１）は機器側の筐体カバー（１７）と組み合わさるように設けられることを特徴とする。【選択図】図３
2013201106.tif 000002
【特許請求の範囲】
【請求項１】
電気ケーブル（１）の内部には信号や電源を通すための導体線（２）が円周状に設けられ、この外周には導体でできた内シールド層（３）この外側に絶縁物でできた保護絶縁層（４）更にこの外側に導体でできた外シールド層（５）を設けさらにこの外側に外シース（６）を設けた遊戯用コネクタ付電気ケーブル。
【請求項２】
ケーブル側コネクタ（７）は取り付け基板（１８）に取り付けられている機器側コネクタ（１３）に両端で機械的・電気的に接続されており、内シールド層（３）及び外シールド層（５）の両端はケーブル側コネクタ（７）を介して機器側コネクタ（１３）と各２本接続されており、更に一端の２本には固定抵抗器（１４）他の端の２本は抵抗検知回路（１５）と接続されている。
以上の構成の請求項１の遊戯用コネクタ付電気ケーブル。
【請求項３】
電気ケーブル（１）の両端にはケーブル側コネクタ（７）が設けられており、このコネクタにはピン形状のケーブル側端子（８）が先の導体線（２）及び内シールド層（３）、外シールド層（５）に半田やカシメにて取り付けられている。以上の構成の請求項１若しくは請求項２の遊戯用コネクタ付電気ケーブル。
【請求項４】
ケーブル側コネクタ（７）に取り付けられた抜け止め（１１）は機器側の筐体カバー（１７）と組み合わさるように設けられた請求項１若しくは請求項２、若しくは請求項３の遊戯用コネクタ付電気ケーブル。
【発明の詳細な説明】
【技術分野】
【０００１】この発明は遊戯場などの施設で用いられている遊戯用機械において遊戯対象機械と換金装置とをつなぐ遊戯用コネクタ付電気ケーブルに関するものである。
【背景技術】
【０００２】従来、遊戯用コネクタ付電気ケーブルとして用いられているコネクタ及び電気ケーブルは汎用的なものが使用されていた。
【発明の開示】
【発明が解決しようとする課題】
【０００３】そのためには次のような問題が有った。電気ケーブルの被覆を裂き、内部の電気信号が流れているケーブルより信号を取り出し、加工・送信し悪用されることが懸念されていた。またケーブルの両端に取り付けられているコネクタを外し、別の制御用回路基板を設けることにより外部より信号を加工し、送信され悪用されることがあった。
【課題を解決するための手段】
【０００４】電気ケーブルの信号線の外側に安全対策用のシールド層として２層設け、この電気ケーブルの両端に取り付けられたケーブル側コネクタと機械的・電気的に接続される機器側のコネクタの一端で各シールド層につながる回路パターンには固定抵抗器を接続し他端では短絡状態やオープン状態を検知する抵抗検知回路に接続されるように設け、ケーブル側のコネクタはピンタイプの端子を持ちい、このコネクタのハウジングには筐体に干渉するように抜け止め部を設けた構造とした。
【発明の効果】
【０００５】シールド層を二層とし抵抗検知回路につながっているために、ケーブルの被覆を裂き、信号線に細工を施す場合、シールド層同士が短絡状態となるため抵抗検知回路が働き安全性が高い。【０００６】シールド層を二層とし一端には固定抵抗器が取り付けられており他端では抵抗検知回路とつながっているために、ケーブルの両端に取り付けているコネクタを故意に外した場合抵抗値が無限大となり抵抗検知回路が働き安全性が高い。【０００７】コネクタに取り付けた抜け止め部が筐体と干渉するため外部からは見えないのでコネクタ部の確認に時間がかかり安全性が高い。【０００８】ケーブル側のコネクタの端子をピン形状としたため、無理にこじりながらコネクタを外した場合このピンが曲がり、再使用が難しくなるため安全性が高い。【０００９】ケーブルを両端で押さえているケーブル押さえ金具の力を低く設定することにより無理にコネクタを外したばあいコネクタとケーブルとの接続部が破壊されるため、再使用が難しくなり安全性が高い。
【発明を実施するための最良の形態】
【００１０】以下に本発明の他の実施の形態を図１，図２、図３、図４を用いて説明する。
（ア）電気ケーブル（１）の内部には信号や電源を通すための導体線（２）が円周状に設けられ、この外周には導体でできた内シールド層（３）この外側に絶縁物でできた保護絶縁層（４）更にこの外側に導体でできた外シールド層（５）を設けさらにこの外側に外シース（６）を設ける。
（イ）電気ケーブル（１）の両端にはケーブル側コネクタ（７）が設けられており、このコネクタにはピン形状のケーブル側端子（８）が先の導体線（２）、内シールド層（３）、外シールド層（５）に半田やカシメにて取り付けられており、抜け止め部（１１）が取り付けられているケーブル側コネクタハウジング（９）の中に収納されている。更に電気ケーブル（１）の両端にはケーブル押さえ金具（１０）が取り付けられており、最外郭は保護被覆（１２）により覆われている。
（ウ）ケーブル側コネクタ（７）は取り付け基板（１８）に取り付けられている機器側コネクタ（１３）に両端で機械的・電気的に接続されており、先の内シールド層（３）及び外シールド層（５）の両端はケーブル側コネクタ（７）を介して機器側コネクタ（１３）と各２本接続されており、更に一端の２本には固定抵抗器（１４）他の端の２本には係数カウンター（１６）とつながった抵抗検知回路（１５）と接続されている。また抜け止め（１１）は機器側の筐体カバー（１７）と組み合わさるように設けられる。
本案は以上の構成で使用の際は、電気ケーブル（１）に取り付けられたケーブル側コネクタ（７）を機器側コネクタ（１３）に接続してもちいる。
この際ケーブル側端子（８）の形態は受け形状の端子でもよい、電気ケーブル（１）は丸形状以外の形状でもかまわない。またケーブル押さえ金具（１０）及び計数カウンター（１６）は用いなくてもよい。
【図面の簡単な説明】
【００１１】
【図１】電気ケーブルの断面図である。
【図２】両端のコネクタ近傍の断面図である。
【図３】電気関連の外観説明図である。
【図４】電気関連の回路概要説明図である。
【符号の説明】
【００１２】１．電気ケーブル
２．導体線
３．内シールド線
４．保護絶縁層
５．外シールド層
６．外シース
７．ケーブル側コネクタ
８．ケーブル側端子
９．ケーブル側コネクタハウジング
１０．ケーブル押さえ金具
１１．抜け止め
１２．保護被覆
１３．機器側コネクタ
１４．固定抵抗器
１５．抵抗検知回路
１６．計数カウンター
１７．筐体カバー
１８．取り付け基板
１９．シールド層内部短絡部
２０．コネクタ接続部
【図１】
2013201106.tif 000003
【図２】
2013201106.tif 000004
【図３】
2013201106.tif 000005
【図４】
2013201106.tif 000006
【手続補正書】
【提出日】平成24年6月25日(2012.6.25)
【手続補正１】
【補正対象書類名】明細書
【補正対象項目名】０００１
【補正方法】変更
【補正の内容】
【０００１】この発明は例えば遊戯場などの施設で用いられている遊戯用機械において遊戯対象機械と換金装置とをつなぐ防犯対策用電気ケーブルシステムに関するものである。
【手続補正２】
【補正対象書類名】明細書
【補正対象項目名】０００２
【補正方法】変更
【補正の内容】
【０００２】従来、防犯対策用電気ケーブルシステムとして用いられているコネクタ及び電気ケーブルは汎用的なものが使用されていた。
【手続補正３】
【補正対象書類名】明細書
【補正対象項目名】０００４
【補正方法】変更
【補正の内容】
【０００４】電気ケーブルの信号線の外側にシールド機能及び安全対策用のシールド層として２層設け、この電気ケーブルの両端に取り付けられたケーブル側コネクタと機械的・電気的に接続される機器側のコネクタの一端で各シールド層につながる回路パターンには固定抵抗器を接続し他端では短絡状態やオープン状態を検知する抵抗検知回路に接続されるように設け、ケーブル側のコネクタはピンタイプの端子を持ちい、このコネクタのハウジングには筐体に干渉するように抜け止め部を設けた構造とした。
【手続補正４】
【補正対象書類名】明細書
【補正対象項目名】００１０
【補正方法】変更
【補正の内容】
【００１０】以下に本発明の他の実施の形態を図１，図２、図３、図４を用いて説明する。（ア）電気ケーブル（１）の内部には信号や電源を通すための導体線（２）が円周状に設けられ、この外周には導体でできた内シールド層（３）この外側に絶縁物でできた保護絶縁層（４）更にこの外側に導体でできた外シールド層（５）を設けさらにこの外側に外シース（６）を設ける。（イ）電気ケーブル（１）の両端にはケーブル側コネクタ（７）が設けられており、このコネクタにはピン形状のケーブル側端子（８）が先の導体線（２）、内シールド層（３）、外シールド層（５）に半田やカシメにて取り付けられており、抜け止め部（１１）が取り付けられているケーブル側コネクタハウジング（９）の中に収納されている。更に電気ケーブル（１）の両端にはケーブル押さえ金具（１０）が取り付けられており、最外郭は保護被覆（１２）により覆われている。（ウ）ケーブル側コネクタ（７）は取り付け基板（１８）に取り付けられている機器側コネクタ（１３）に両端で機械的・電気的に接続されており、先の内シールド層（３）及び外シールド層（５）の両端はケーブル側コネクタ（７）を介して機器側コネクタ（１３）と各２本接続されており、更に一端の２本には固定抵抗器（１４）他の端の２本には係数カウンター（１６）とつながった抵抗検知回路（１５）と接続されている。また抜け止め（１１）は機器側の筐体カバー（１７）と組み合わさるように設けられる。本案は以上の構成で使用の際は、電気ケーブル（１）に取り付けられたケーブル側コネクタ（７）を機器側コネクタ（１３）に接続してもちいる。この際ケーブル側端子（８）の形態は受け形状の端子でもよい、電気ケーブル（１）は丸形状以外の形状でもかまわない。またケーブル押さえ金具（１０）及び計数カウンター（１６）は用いなくてもよい。また本発明は遊戯用機器以外に車や銀行端末、防犯カメラなどの防犯対策やコネクタ外れやケーブルが損傷を受けることを検知する必要のある機器に用いてもよい。
【手続補正６】
【補正対象書類名】特許請求の範囲
【補正対象項目名】全文
【補正方法】変更
【補正の内容】
【特許請求の範囲】
【請求項１】
電気ケーブル（１）の内部には信号や電源を通すための導体線（２）が円周状に設けられ、この外周には導体でできた内シールド層（３）この外側に絶縁物でできた保護絶縁層（４）更にこの外側に導体でできた外シールド層（５）を設けさらにこの外側に外シース（６）を設けた防犯対策用電気ケーブルシステム。
【請求項２】
ケーブル側コネクタ（７）は取り付け基板（１８）に取り付けられている機器側コネクタ（１３）に両端で機械的・電気的に接続されており、内シールド層（３）及び外シールド層（５）の両端はケーブル側コネクタ（７）を介して機器側コネクタ（１３）と各２本接続されており、更に一端の２本には固定抵抗器（１４）他の端の２本は抵抗検知回路（１５）と接続されている。以上の構成の請求項１の防犯対策用電気ケーブルシステム。
【請求項３】
電気ケーブル（１）の両端にはケーブル側コネクタ（７）が設けられており、このコネクタにはピン形状のケーブル側端子（８）が先の導体線（２）及び内シールド層（３）、外シールド層（５）に半田やカシメにて取り付けられている。以上の構成の請求項１若しくは請求項２の防犯対策用電気ケーブルシステム。
【請求項４】
ケーブル側コネクタ（７）に取り付けられた抜け止め（１１）は機器側の筐体カバー（１７）と組み合わさるように設けられた請求項１若しくは請求項２、若しくは請求項３の防犯対策用電気ケーブルシステム。